(57)【要約】  マグネトロン電源リード２０のための誘導性フィルタ１０は、電気絶縁チューブ１０５と；この電気絶縁チューブ手段と実質的に同軸的に、電気絶縁チューブ内に部分的に配置されて、マグネトロン電源からマグネトロンへ電力を供給するための電力リード２２、２３と；電気絶縁チューブ手段に同軸的に配置された第１の磁気材料の第１のコア１０１及び第２の磁気材料の第２のコア１０２と；第１のコア及び第２のコアと実質的に同じ外径で且つ第１のコアと第２のコアとの間で電気絶縁チューブ手段に同軸的に配置された絶縁ディスク１０４と；を備えている。誘導性フィルタは、第１の所定の周波数帯域のノイズ及びその第１の所定の周波数帯域とは異なる第２の所定の周波数帯域のノイズを、電力リード手段に沿って伝送されないよう実質的にフィルタリングすると共に、第１のコア手段及び第２のコア手段の少なくとも１つにダメージを及ぼし得る電力リード手段に沿って伝送される所定の過渡電圧を吸収するように構成される。一実施形態において、第３の磁気材料の第３のコア１０３が絶縁チューブに同軸的にマウントされて、第１のコアが第１の周波数帯域をフィルタリングし、第２のコアが第２の周波数帯域をフィルタリングし、そして第３のコアが第１及び第２のコアにダメージを及ぼす所定の過渡電圧を防止するようにする。【選択図】図２Ａ
2014506732.tif 000002
【特許請求の範囲】
【請求項１】
マグネトロン電源リードのための誘導性フィルタにおいて、
電気絶縁チューブ手段と；
前記電気絶縁チューブ手段と実質的に同軸的に、前記電気絶縁チューブ手段内に部分的に配置されて、マグネトロン電源からマグネトロンへ電力を供給するための電力リード手段と；
前記電気絶縁チューブ手段に同軸的に配置された第１の磁気材料の第１の磁気コア手段と；
前記電気絶縁チューブ手段に同軸的に配置された第２の磁気材料の第２の磁気コア手段と；
前記第１の磁気コア手段及び第２の磁気コア手段と少なくとも同じ外径であり且つ前記第１の磁気コア手段と第２の磁気コア手段との間で前記電気絶縁チューブ手段に同軸的に配置された絶縁ディスク手段と；
を備え、第１の所定の周波数帯域における電気的ノイズ及びその第１の所定の周波数帯域より高い又は低い第２の所定の周波数帯域における電気的ノイズを、前記電力リード手段に沿って伝送されないよう実質的にフィルタリングすると共に、前記電力リード手段に沿って伝送される所定の過渡電圧を吸収するように構成された、誘導性フィルタ。
【請求項２】
前記電気絶縁チューブ手段に同軸的に配置された第３の磁気材料の第３の磁気コア手段と；前記第１の磁気コア手段、前記第２の磁気コア手段及び前記第３の磁気コア手段と少なくとも同じ外径の更に別の絶縁ディスク手段と；を備え、この更に別の絶縁ディスク手段は、前記第２の磁気コア手段と前記第３の磁気コア手段との間で前記電気絶縁チューブ手段に同軸的に配置され、更に、前記第１の磁気コア手段は、前記第１の所定の周波数帯域における電気的ノイズを実質的にフィルタリングするように構成され、前記第２の磁気コア手段は、前記第２の所定の周波数帯域における電気的ノイズを実質的にフィルタリングするように構成され、そして前記第３の磁気コア手段は、所定の過渡電圧を、前記電力リード手段に沿って伝送されないよう吸収するように構成された、請求項１に記載の誘導性フィルタ。
【請求項３】
前記磁気コア手段及び前記絶縁ディスク手段の複数のセットを含む、請求項１又は２に記載の誘導性フィルタ。
【請求項４】
前記磁気コア手段及び前記絶縁ディスク手段は、前記絶縁チューブ手段に沿って互いに接近している、請求項１から３のいずれかに記載の誘導性フィルタ。
【請求項５】
前記絶縁ディスク手段は、一連の磁気コア手段の表面を横切ってトラッキング電流を招く電圧破壊を防止するように構成される、請求項１から４のいずれかに記載の誘導性フィルタ。
【請求項６】
前記電力リード手段は、同軸ケーブルの内部導体である、請求項１から５のいずれかに記載の誘導性フィルタ。
【請求項７】
前記誘導性フィルタは、ＥＭＣスクリーニング手段内に配置され、そして前記同軸ケーブルの外部電気導体は、そのスクリーニング手段に電気的に接続される、請求項６に記載の誘導性フィルタ。
【請求項８】
マグネトロンの電源リードをフィルタリングする方法において、
ａ．電気絶縁チューブ手段内に部分的に同軸的に配置されて、マグネトロン電源からマグネトロンへ電力を供給するための電力リード手段を準備する段階；及び
ｂ．電気絶縁チューブ手段と実質的に同軸的に電気絶縁チューブ手段に配置された第１の磁気材料の第１の磁気コア手段及び第２の磁気材料の第２の磁気コア手段を使用して、第１の所定の周波数帯域における電気的ノイズ及びその第１の所定の周波数帯域より高い又は低い第２の所定の周波数帯域における電気的ノイズを、電力リード手段に沿って伝送されないようフィルタリングすると共に、電力リード手段に沿って伝送される所定の過渡電圧を吸収する段階；
を備えた方法。
【請求項９】
ａ．前記第１の磁気コア手段を使用して、前記第１の所定の周波数帯域における電気的ノイズをフィルタリングし、
ｂ．前記第２の磁気コア手段を使用して、前記第２の所定の周波数帯域における電気的ノイズをフィルタリングし、及び
ｃ．前記電気絶縁チューブ手段に同軸的に配置された第３の磁気材料の第３の磁気コア手段を使用して、前記電力リード手段に沿って伝送される所定の過渡電圧を吸収する、
ことを含む請求項８に記載の方法。
【請求項１０】
前記第１の磁気コア手段及び前記第２の磁気コア手段と少なくとも同じ外径で且つそれら磁気コア手段間の前記電気絶縁チューブ手段に同軸的に配置された絶縁ディスク手段を使用して、一連の磁気コア手段の表面を横切ってトラッキング電流を招く電圧破壊を防止する、請求項８又は９に記載の方法。
【請求項１１】
前記磁気コア手段及び絶縁ディスク手段の複数のセットを使用することを含む、請求項１０に記載の方法。
【発明の詳細な説明】
【技術分野】
【０００１】
本発明は、マグネトロン電源リードのフィルタに関する。
【背景技術】
【０００２】
図１を参照すれば、充分に高い電圧定格をもつ標準同軸ケーブル５０の外側接続、及び高電圧接続用のＰＬ２５９又はタイプＮのようなコネクタ６０の外側部分を使用することが知られている。内部導体と外部導体との間の電圧クリープを適当に一掃するために同軸ケーブルの外部層５１が内部絶縁体５２から後方に充分に剥離され、そしてコネクタ６０の外側部分が同軸ケーブルの編組に電気的及び機械的に接続される。同軸内部導体の端には、負荷装置へ接続するために適当なコネクタ６１が取り付けられる。図１は、そのような既知の４ｍｍピン同軸コネクタの使用を示す。
【０００３】
マグネトロンは、その高電圧端子から電気的ノイズを発生する。典型的なマグネトロンでは、この広帯域ノイズは、〜１００ＭＨｚから〜６００ＭＨｚの周波数範囲をカバーする。マグネトロンを付勢するのに使用される整流器に関連した整流器転換ノイズは、通常、〜１ＭＨｚから〜２０ＭＨｚの周波数範囲である。
【０００４】
インダクタは、望ましい周波数範囲にわたり望ましインダクタンスを得るために導体上のスリップ磁気コアという簡単な手段により形成できることが良く知られている。しかしながら、単一のインダクタが上述した２つのノイズ源の２つの周波数範囲にわたって有効であることはあり得ない。これらの異なる周波数範囲のノイズをフィルタリングしそしてこれらの異なる周波数範囲で減衰するのに最適なインダクタを形成するため、各々インダクタンスＬａ及びＬｂを有する２つの異なるインダクタコアが直列に使用される。各磁気コアについて、インダクタンス及びＱは、適当な周波数範囲をカバーするようにコアに対して適当な材料を選択することにより最適なものにされる。
【０００５】
ＧＢ１４８７５８３号及びＵＳ３，９２２，６１２号は、ＶＨＦ及びＵＨＦ干渉を放射するマグネトロンのためのローパスフィルタを含むチョーク回路であって、各ヒータリードと電源入力端子との間に一対のチョーク部材が接続され、各チョーク部材は、例えば、１０ｋΩ・ｃｍの高い固有抵抗率の第１のフェライトコアを含む少なくとも１つのチョーク素子と、例えば、３０Ω・ｃｍの低い固有抵抗率の少なくとも１つの第２のチョーク素子とで構成され、２つのチョーク部材が直列に接続されたチョーク回路を開示している。チョーク部材には、直列接続されたコイル及びコアが挿入される。チョークは、シールドエンクロージャーに配置される。チョーク部材を設けることで、不愉快なマイクロ波ノイズの漏れが実質的に防止される。低い抵抗率のコアと高い抵抗率のコアとの間に金属シールドプレートを挿入して、コア間に磁気分離を得、マイクロ波ノイズを更に有効に吸収することができる。一実施形態では、リードごとに３つのチョークが直列に使用される。或いは又、チョーク部材がリードの周りに２つのフェライトビードを直列に含み、第１のフェライトビードは、高い固有抵抗率のもので、第２のフェライトビードは、低い固有抵抗率のもので、その各々は、２本のヒータワイヤを受け入れるための２つのボアを有している。チョーク部材は、交互に低抵抗率及び高抵抗率のフェライトコアの複数のグループを有する。
【０００６】
ＧＢ１４３６９２８号は、マイクロ波減衰フェライトビードをもつカソードリードを有するマグネトロンを開示している。
【０００７】
ＵＳ４，１６３，１７５号は、フェライトビードのような電磁エネルギー吸収器がカソードホルダの周りに巻かれたマグネトロンが良く知られているが、フェライトビードは、電磁エネルギーの吸収により及びホットカソードから過熱し、フェライトビードが大量のガスを発生させることを示唆している。フェライトインダクタのそのような過熱を防止するためにカソードホルダの付近に熱導体に接触するリング状ＨＦエネルギー吸収器が開示されている。
【発明の概要】
【発明が解決しようとする課題】
【０００８】
しかしながら、マグネトロンは、アークも発生し、即ち非常に急速に短絡を生じる。この状況では、典型的に、２０ｋＶのマグネトロンの全作用電圧がインダクタにまたがって瞬間的に印加される。そのような高い電圧は、磁気コアに使用される磁気材料にダメージを及ぼす。
【課題を解決するための手段】
【０００９】
本発明の第１の態様によれば、マグネトロン電源リードのための誘導性フィルタにおいて、電気絶縁チューブ手段と；この電気絶縁チューブ手段と実質的に同軸的に、この電気絶縁チューブ手段内に部分的に配置されて、マグネトロン電源からマグネトロンへ電力を供給するための電力リード手段と；電気絶縁チューブ手段に同軸的に配置された第１の磁気材料の第１の磁気コア手段と；電気絶縁チューブ手段に同軸的に配置された第２の磁気材料の第２の磁気コア手段と；第１の磁気コア手段及び第２の磁気コア手段と少なくとも同じ外径であり且つ第１の磁気コア手段と第２の磁気コア手段との間で電気絶縁チューブ手段に同軸的に配置された絶縁ディスク手段と；を備え、第１の所定の周波数帯域における電気的ノイズ及びその第１の所定の周波数帯域より高い又は低い第２の所定の周波数帯域における電気的ノイズを、電力リード手段に沿って伝送されないよう実質的にフィルタリングすると共に、電力リード手段に沿って伝送される所定の過渡電圧を吸収するように構成された誘導性フィルタが提供される。
【００１０】
便利なことに、誘導性フィルタは、更に、電気絶縁チューブ手段に同軸的に配置された第３の磁気材料の第３の磁気コア手段と；第１の磁気コア手段、第２の磁気コア手段及び第３の磁気コア手段と少なくとも同じ外径の更に別の絶縁ディスク手段；を備え、この更に別の絶縁ディスク手段は、第２の磁気コア手段と第３の磁気コア手段との間で電気絶縁チューブ手段に同軸的に配置され、第１の磁気コア手段は、第１の所定の周波数帯域における電気的ノイズを実質的にフィルタリングするように構成され、第２の磁気コア手段は、第２の所定の周波数帯域における電気的ノイズを実質的にフィルタリングするように構成され、そして第３の磁気コア手段は、所定の過渡電圧を、電力リード手段に沿って伝送されないよう吸収するように構成される。
【００１１】
好都合なことに、誘導性フィルタは、上述した磁気コア手段及び絶縁ディスク手段の複数のセットを含む。
【００１２】
便利なことに、磁気コア手段及び絶縁ディスク手段は、絶縁チューブ手段に沿って互いに接近している。
【００１３】
好都合なことに、絶縁ディスク手段は、一連の磁気コア手段の表面を横切ってトラッキング電流を招く電圧破壊を防止するように構成される。
【００１４】
便利なことに、電力リード手段は、同軸ケーブルの内部導体である。
【００１５】
便利なことに、誘導性フィルタは、ＥＭＣスクリーニング手段内に配置され、そして同軸ケーブルの外部電気導体は、そのスクリーニング手段に電気的に接続される。
【００１６】
本発明の第２の態様によれば、マグネトロンの電源リードをフィルタリングする方法において、電気絶縁チューブ手段と実質的に同軸的に、電気絶縁チューブ手段内に部分的に配置されて、マグネトロン電源からマグネトロンへ電力を供給するための電力リード手段を準備する段階；及び電気絶縁チューブ手段に同軸的に配置された第１の磁気材料の第１の磁気コア手段及び第２の磁気材料の第２の磁気コア手段を使用して、第１の所定の周波数帯域における電気的ノイズ及びその第１の所定の周波数帯域より高い又は低い第２の所定の周波数帯域における電気的ノイズを、電力リード手段に沿って伝送されないようフィルタリングすると共に、電力リード手段に沿って伝送される所定の過渡電圧を吸収する段階；を備えた方法が提供される。
【００１７】
便利なことに、第１の磁気コア手段は、第１の所定の周波数帯域における電気的ノイズをフィルタリングし、第２の磁気コア手段は、第２の所定の周波数帯域における電気的ノイズをフィルタリングし、そして電気絶縁チューブ手段に同軸的に配置された第３の磁気材料の第３の磁気コア手段は、電力リード手段に沿って伝送される所定の過渡電圧を吸収する。
【００１８】
便利なことに、第１の磁気コア手段及び第２の磁気コア手段と少なくとも同じ外径であり且つそれら磁気コア手段間で電気絶縁チューブ手段に同軸的に配置された絶縁ディスク手段は、一連の磁気コア手段の表面を横切ってトラッキング電流を招く電圧破壊を防止する。
【００１９】
好都合なことに、前記方法は、上述した磁気コア手段及び絶縁ディスク手段の複数のセットを使用することを含む。
【００２０】
以下、添付図面を参照して、本発明の実施形態を詳細に説明する。
【図面の簡単な説明】
【００２１】
【図１】従来の高電圧同軸コネクタを示す。
【図２Ａ】マグネトロンへ電力を供給するために同軸ケーブルの中心絶縁体の周りに本発明による直列の３つのタイプの磁気コアインダクタのセットを示す断面図である。
【図２Ｂ】図２Ａに示す直列の３つの磁気コアインダクタのセットによって与えられるインダクタンス及び抵抗の等価回路図である。
【図３】図２Ａの内部導体及び磁気コアの実施形態を示す。
【発明を実施するための形態】
【００２２】
図２Ａを参照すれば、本発明の一実施形態による磁気コアインダクタ１０は、異なるインダクタンスＬａ、Ｌｂ及びＬｃを各々有する３つの磁気コア１０１、１０２、１０３のセットが直列に配置されたものより成る。マグネトロン（図示せず）へ電力を供給するためのＥＨＴ電源（図示せず）からの同軸ケーブル２０の外部導体２１は、安全及びＥＭＣの目的で全アッセンブリをシールドする導電性バルクヘッド３０に電気的に接触する同軸ケーブル外部コネクタ３１に電気的及び機械的に接続される。同軸ケーブル２０の内部導体２２をマグネトロンのカソードに接続するために、外部導体２１及び外部絶縁体をもたない内部導体２２及び内部絶縁体２３の一部分が細長い直線的な電気絶縁チューブ１０５に通される。細長い直線的チューブ１０５の中央部分１０５１の周りに同軸的に配置されているのは、第１の環状磁気コア１０１、第１の絶縁ディスク１０４、第２の環状磁気コア１０２、第２の絶縁ディスク１０４、第３の環状磁気コア１０３、及び第３の絶縁ディスク１０４の繰り返しパターンである。第１の環状磁気コア１０１、第２の環状磁気コア１０２及び第３の環状磁気コア１０３は、異なる磁気材料であるが、実質的に同じ寸法である。第１、第２及び第３の絶縁ディスク１０４は、互いに実質的に同一である。環状磁気コア１０１、１０２、１０３、及び絶縁ディスク１０４は、実質的に同じ外径を有すると共に、絶縁チューブ１０５上に滑りばめ(sliding fit)を形成する内径を有する。磁気コア１０１、１０２、１０３、及び絶縁ディスク１０４のこのパターンは、チューブ１０５の中央部分１０５１に沿って繰り返される。バルクヘッド接続部３１に最も近い磁気コア１０１は、磁気コア又は絶縁ディスクをもたない細長い直線的チューブ１０５の第１の端部１０５２によりそこから離間されている。バルクヘッド接続部３１から最も遠い絶縁ディスク１０４は、バルクヘッド接続部３１から最も遠いチューブ１０５の端から、磁気コア又は絶縁ディスクをもたない細長い直線的チューブ１０５の（第１の端部とは逆の）第２の端部１０５３により離間されている。同軸ケーブルの内部絶縁体２３の一部分は、同軸ケーブルの内部導体２２をマグネトロン（図示せず）へ接続するために、細長い直線的チューブ１０５の遠方端を越えて延びる。
【００２３】
第１及び第２の磁気コア１０１、１０２の各インダクタンスＬａ及びＬｂは、各々、マイクロメタルＭｉｘ１２又は１７のような磁気材料を使用して〜１００ＭＨｚから〜６００ＭＨｚの、及びマイクロメタルＭｉｘ４、６又は７のような磁気材料を使用して〜１ＭＨｚから〜２０ＭＨｚの典型的な周波数範囲を有するマグネトロンノイズ及び整流器転換ノイズをフィルタリングするために選択され、この規範的な磁気材料は、ＵＳＡ  ９２８０７ＣＡ、アナハイム、５６１５Ｅ．Ｌａ  Ｐａｌｍａ  Ａｖｅｎｕｅのマイクロメタル・インクから入手できる。インダクタンスＬｃの第３の磁気コア１０３には、第３の磁気材料が使用される。このコア材料は、マイクロメタルＭｉｘ２６のような磁気材料を使用して１００ｋＨｚ未満の低い周波数において高い透磁率及び高い磁束密度の両方について選択される。インダクタンスＬｃの磁気コアは、例えば、図２Ａの点ＡとＢとの間の一連のインダクタの長さにわたって過渡的に現れる電圧が、磁気コア１０１、１０２及び１０３の各々にまたがる電圧の割合が個々の磁気コアの電圧定格内となるようなレベルへ減少されることを保証するように実験により設計される。
【００２４】
従って、本発明の特徴は、異なる磁気コア材料を使用して、かなり異なる各機能を遂行することである。図２Ａに示す実施形態では、同じ磁気材料の２つ以上のコアが各機能に使用され、且つそれらが繰り返しパターンでインターリーブされることが明らかである。直列なコアの複数のセットを使用するにも関わらず、直列な磁気コアの等価電気回路は、図２Ｂに示すように、実質的に、一連の３対の直列インダクタンス及び抵抗Ｌａ及びＲａ、Ｌｂ及びＲｂ、Ｌｃ及びＲｃであることが示されている。
【００２５】
更に、各インダクタンスＬａ、Ｌｂ及びＬｃを伴う磁気コアの分布性は、マグネトロンにアークが生じたとき、一連のコアの長さＡからＢにわたって過渡的な高い電圧が均一に分布することを保証する。距離Ａ−Ｂは、使用する磁気コアの数によって決定されるが、電圧クリープを防止するに必要な最小距離より長くなければならない。クリープ距離に関する情報は、規格ＥＮ６０９５０及びＩＥＣ６６４−１に見ることができる。
【００２６】
同軸ケーブル２０を使用してマグネトロンのような負荷に定常ＤＣ電圧を供給するときには、ケーブルのＤＣ電圧定格は、マグネトロンのアーク発生中に生じるような急速な過渡状態を電圧が受けるときの方が、一定の電圧をケーブルが受けるときより著しく低い。過渡状態のもとで電圧定格が充分であるように保証するため、磁気コア１０１、１０２、１０３をサポートするのに使用されるチューブ１０５は電気絶縁性である。磁気コア間に配置される電気絶縁ディスク１０４は、磁気コアに使用される典型的な磁気材料が導電性であるから、図２Ａの点ＡとＢとの間の一連の磁気コアにまたがる高い電圧が磁気コアの表面を横切ってトラッキングすることがないよう保証する。
【００２７】
図３は、本発明の典型的な具現化を示すもので、電気絶縁チューブにアッセンブルされた磁気コアを示している。同軸ケーブルの内部導体及び内部絶縁体は、チューブを通して高電圧変圧器整流器ユニット（ＨＶＴＲＵ）の２０ｋＶＤＣ出力へ送られて示されている。磁気コア及びチューブアッセンブリは、標準ケーブルクリートで固定される。同軸コネクタは、安全性及びＥＭＣの目的で装置をシールドする導電性ケースで見えない。そのようなインダクタは、整流器の負の端子と、例えば、ＷＯ２００８／１４９１３３に述べられたマグネトロンヒータ変圧器との間の電源リードの周りに配置される。
【００２８】
ある状況においては、上述したように、異なる各インダクタンスＬａ、Ｌｂ及びＬｃを伴う３つの異なるタイプの磁気コア１０１、１０２、１０３は、マグネトロンのノイズをフィルタリングし、整流器転換ノイズをフィルタリングし、及びマグネトロンのアークに適応させるという３つの目的で便利に使用されることが理解される。しかしながら、例えば、コアＬｂ及びＬｃがそれらの機能の２つを遂行でき、そしてＬｂ及びＬｃの組み合わせで第３の機能を遂行できる場合には、２つのタイプの磁気コアしか必要とされないが、磁気コアの同じ機械的配列及び分布を、図２Ａの３つのタイプの磁気コアに使用される２つの異なるタイプの磁気コアとして使用することが想像される。
【００２９】
更に、本発明のフィルタは、整流器からのノイズがマグネトロンに到達しないようフィルタリングすると共に、マグネトロンからのノイズが、整流器を含む電源回路に到達しないようフィルタリングすることも理解される。更に、従来技術とは対照的に、フィルタが電源リードに配置され、マグネトロン内にないことに注意されたい。これは、マグネトロンの設計及び構造を簡単にする。
【００３０】
本発明は、マグネトロンのノイズフィルタリングに関連して説明したが、当業者であれば、本発明は、他の状況、特に、２つの異なる周波数帯域におけるノイズフィルタリング及び過渡電圧保護が望まれる場合にも適用できることが理解されよう。
【００３１】
本明細書の説明及び請求の範囲全体にわたり、「備える(comprise)」、「含む(contain)」の語及びそれらの変形は、「含むが、それに限定されない」を意味し、そしてそれらは、他の部分、添加物、成分、整数又はステップを含むことは意図されない（それらを含まない）。本明細書の説明及び請求の範囲全体にわたり、単数は、特に指示のない限り、複数も意味する。特に、不定の物品が使用される場合は、特に指示のない限り、複数及び単数を意図するものと理解されたい。
【００３２】
本発明の特定の態様、実施形態又は実施例に関して述べる特徴、整数、特性、化合物、化学的部分又はグループは、それに非適合でない限り、ここに述べる他の態様、実施形態又は実施例に適用できると理解されたい。本明細書（特許請求の範囲、要約書及び添付図面を含む）に開示する全ての特徴、及び／又はそこに開示する方法又はプロセスの全てのステップは、そのような特徴及び／又はステップの少なくとも幾つかが相互に排他的である組み合わせを除き、いかなる組み合わせで結合されてもよい。本発明は、上述した実施形態の細部に限定されない。本発明は、本明細書（特許請求の範囲、要約書及び添付図面を含む）に開示する特徴の、新規な１つ、又は新規な組み合わせ、或いはそこに開示する方法又はプロセスのステップの、新規な１つ又は新規な組み合わせへと拡張される。
【００３３】
読者の注意は、本出願と同時に或いは本出願に関連して本明細書以前に提出された及び本明細書と共に公開される全ての書類及び文書に向けられ、従って、そのような全ての書類及び文書が参考としてここに援用される。
【符号の説明】
【００３４】
１０：磁気コアインダクタ
２０：同軸ケーブル
２１：外部導体
２２：内部導体
２３：内部絶縁体
３０：バルクヘッド
３１：同軸ケーブル外部コネクタ
５０：同軸ケーブル
５１：外部層
５２：内部絶縁体
６０：コネクタ
６１：適当なコネクタ
１０１：第１の環状磁気コア
１０２：第２の環状磁気コア
１０３：第３の環状磁気コア
１０４：第１、第２及び第３の絶縁ディスク
１０５：細長い直線的電気絶縁チューブ
１０５１：中央部分
１０５２：第１の端部
１０５３：第２の端部
【図１】
2014506732.tif 000003
【図２Ａ】
2014506732.tif 000004
【図２Ｂ】
2014506732.tif 000005
【図３】
2014506732.tif 000006
【国際調査報告】
2014506732.tif 000007
2014506732.tif 000008